(57)【要約】【課題】針を収容して保護する針キャップを他の用途にも使用する構造として針キャップの有効利用を可能とし、部品点数を削減した液体採取注入針を提供する。【解決手段】針４が挿入されることにより針４を保持する筒体からなる針保持部材２と、針保持部材２の前側部分に対し着脱自在となっており、針４が挿入されることにより針保持部材２から露出している針４の露出部分を覆う筒体からなる針キャップ３と、を備える。針キャップ３は針保持部材２との連通状態でその端部が針保持部材２の後側部分に連結可能となっている。【選択図】図１
0003226487.tif 000002
【実用新案登録請求の範囲】
【請求項１】
針と、針を保持する針保持部材と、前記針保持部材から露出している針の露出部分を覆う針キャップとを備え、
前記針キャップは前記針保持部材における前記針との反対側に連結可能であって、前記連結状態で外部の医療器具との接続が可能となっていることを特徴とする液体採取注入針。
【請求項２】
前記針保持部材は、前記針の針元が挿入されることにより針を保持する保持筒部と、前記保持筒部と連通するように形成された接続筒部とを備え、
前記針キャップは前記接続筒部に直接又は間接的に連結可能となっていることを特徴とする請求項１記載の液体採取注入針。
【請求項３】
針と、針を保持する針保持部材とを備え、
前記針保持部材は前記針との反対側が外部の医療器具と直接又は間接的に接続可能となっていることを特徴とする液体採取注入針。
【請求項４】
針と、針を保持する針保持部材と、前記針保持部材における前記針との反対側に連結される接続管とを備え、
前記接続管は異なった外部の医療器具との接続が可能となっていることを特徴とする液体採取注入針。
【考案の詳細な説明】
【技術分野】
【０００１】
本考案は、針に対して各種の医療器具を接続することが可能な液体採取注入針に関する。
【背景技術】
【０００２】
血液の採取及び薬液の注入の双方に使用することができる液体採取注入針としては、例えば特開２０１７−１８４９８５号公報に開示されている。このような液体採取注入針では、フラップ部を有する針保持部材に対して先端部分が露出するように針が保持されている。この構造では、針の保護及び作業者への針刺し事故を防止するため、針の露出部分を収容する針キャップが用いられる。針キャップは針が挿入されることにより針の露出部分を覆っており、その後端部が針保持部材の先端部分に差し込み等によって取り付けられている。かかる針キャップの針保持部材への取り付けに関しては例えば、特許文献１及び２の構造が開示されている。
【０００３】
特許文献１は、針保持部材の先端部分となっている取付筒部に嵌合突起を形成する一方、針キャップの後端部に嵌合溝を形成し、嵌合突起を嵌合溝に嵌合させることにより針キャップを取付筒部に安定して取り付ける構造としている。
特許文献２は、針キャップに横長の切り欠き部を形成し、この切り欠き部に保持筒部のフラップ部を折り重ねて挿入して係合させることにより安定した針キャップの取り付けを行なう構造としている。
【先行技術文献】
【特許文献】
【０００４】
【特許文献１】実開平５−４１５５８号公報
【特許文献２】実用新案登録第３０１６７１９号公報
【考案の概要】
【考案が解決しようとする課題】
【０００５】
従来において、針キャップは針を覆って保護するために用いるためだけに用いるものであり、液体採取注入針を包装袋から取り出した際には、針キャップは針から外されて廃棄される。従って、針キャップは血液の採取や薬液の注入に用いられることがなく、資源の無駄となっている。
又、従来の液体採取注入針はヘマトクリット管、シリンジ、その他の外部の医療器具に対し、個々の医療器具との接続を行うための構造であり、異なった種類の医療器具に対する接続ができない不便さを有している。
【０００６】
本考案は、このような従来の問題点を考慮してなされたものであり、針に対して各種の異なった医療器具を接続することが可能な液体採取注入針を提供することを目的とする。又、本考案は、針を保護する針キャップを外部の医療器具との接続にも使用できる構造とすることにより針キャップの有効利用を可能とした液体採取注入針を提供することを目的とする。
【課題を解決するための手段】
【０００７】
本考案の液体採取注入針は、針と、針を保持する針保持部材と、前記針保持部材から露出している針の露出部分を覆う針キャップとを備え、前記針キャップは前記針保持部材における前記針との反対側に連結可能であって、前記連結状態で外部の医療器具との接続が可能となっていることを特徴とする。
【０００８】
この場合、前記針保持部材は、前記針の針元が挿入されることにより針を保持する保持筒部と、前記保持筒部と連通するように形成された接続筒部とを備え、前記針キャップは前記接続筒部に直接又は間接的に連結可能となっていることを特徴とする。
【０００９】
又、本考案の液体採取注入針は、針と、針を保持する針保持部材とを備え、前記針保持部材は前記針との反対側が外部の医療器具と直接又は間接的に接続可能となっていることを特徴とする。
【００１０】
又、本考案の液体採取注入針は、針と、針を保持する針保持部材と、前記針保持部材における前記針との反対側に連結される接続管とを備え、前記接続管は異なった外部の医療器具との接続が可能となっていることを特徴とする。
【考案の効果】
【００１１】
本考案は、針を覆う針キャップが針保持部材に連結されることにより外部の医療器具との接続ができるため、針キャップを血液の採取や薬液注入に有効に再利用でき、資源の無駄となることがない。
又、本考案は、針を保持する針保持部材が外部の医療器具と直接又は間接的に接続可能となっているため、各種の医療器具を接続することができる。
又、本考案は、針保持部材に連結された接続管が異なった外部の医療器具との接続が可能となっているため、各種の医療器具を接続することができる。
【図面の簡単な説明】
【００１２】
【図１】（Ａ）、（Ｂ）は本考案の第１実施形態の部分破断正面図である。
【図２】第１実施形態の接続状態を示す部分破断正面図である。
【図３】第１実施形態の全体正面図である。
【図４】第１実施形態の側面図である。
【図５】第２実施形態の断面図である。
【図６】第２実施形態の接続を示す断面図である。
【図７】（Ａ）、（Ｂ）、（Ｃ）は第３実施形態の部分破断正面図、部分正面図、変形例の部分正面図である。
【図８】第４実施形態の部分破断正面図である。
【図９】第４実施形態の第２例を示す部分破断正面図である。
【図１０】（Ａ）、（Ｂ）、（Ｃ）は第５実施形態を段階的に示す部分破断正面図である。
【図１１】第６実施形態の部分破断正面図である。
【図１２】第７実施形態における針キャップの第１の接続構造を示す正面図である。
【図１３】第７実施形態における針キャップの第２の接続構造を示す正面図である。
【図１４】（Ａ）、（Ｂ）は第７実施形態における針キャップの第３の接続構造を示す正面図である。
【図１５】（Ａ）、（Ｂ）は第８実施形態を段階的に示す断面図である。
【図１６】第９実施形態を示す部分破断正面図である。
【図１７】第１０実施形態を示す部分破断正面図である。
【図１８】第１１実施形態を示す部分判断荘園図である。
【図１９】第１２実施形態を示す部分破断正面図である。
【図２０】第１３実施形態を示す部分破断正面図である。
【図２１】第１３実施形態の変形例を示す部分破断正面図である。
【図２２】第１４実施形態を示す部分破断正面図である。
【図２３】第１５実施形態を示す正面図である。
【図２４】第１５実施形態に用いる分析器の分離状態を示す正面図である。
【図２５】第１６実施形態を示す部分破断正面図である。
【図２６】第１６実施形態を示す右側面図である。
【図２７】第１６実施形態の別例を示す部分破断正面図である。
【図２８】第１６実施形態のさらに別例を示す正面図である。
【図２９】第１６実施形態のまたさらに別例を示す正面図である。
【図３０】第１６実施形態の使用状態を示す正面図である。
【考案を実施するための形態】
【００１３】
以下、本考案を図示する実施形態により具体的に説明する。なお、各実施形態において、同一の部材には同一の符号を付して対応させてある。
【００１４】
［第１実施形態］
図１〜図４は、本考案の第１実施形態の液体採取注入針１を示す。液体採取注入針１は、針保持部材２と、針キャップ３とを備えている。針保持部材２及び針キャップ３はシリコン、塩化ビニル等の樹脂によって全体が形成される。
【００１５】
針保持部材２は針４を保持する部材である。針４は針保持部材２を介して外部の医療器具に連結される。医療器具は人だけなく、マウス等の実験動物に対しても血液や体液等の採取や薬液の注入等を行うための器具を包含するものである。針４は先鋭の金属製の中空管からなり、先鋭の針先４ａを通じて人や実験動物の血液、体液等の採取及び薬液の注入を行う。
【００１６】
針保持部材２は軸方向に延びる筒状に形成されており、取付筒部５が前側部分、保持筒部６が中間部分、接続筒部７が後側部分に位置するようにこれらが一体に形成されている。これらの取付筒部５、保持筒部６、接続筒部７は軸方向に連通状態した状態となっている。
保持筒部６には、軸方向と交差する方向に延びたフラップ部８が形成されている。フラップ部８は図４に示すように、実線の展開状態から鎖線の折り畳み状態とし、この状態で指で把持することにより針４を安定して操作するためのものである。フラップ部８は両翼となっているが、片翼であっても良い。
【００１７】
保持筒部６は針４の針元４ｂが挿入される。この挿入によって保持筒部６は針４を保持する。
取付筒部５は保持筒部６の前側から延びており、この筒部５が針キャップ３の後端部３ｂに差し込まれることにより針キャップ３が取付筒部５によって針保持部材２に取り付けられる、取付筒部５の差し込みを可能とするため、取付筒部５の外径は針キャップ３の内径と略同程度となるように形成される。
接続筒部７は針キャップ３が連結される部位であり、針キャップ３の前端部３ａに差し込まれることにより針キャップ３との連結が行われる。
【００１８】
針キャップ３は軸方向に延びる単一径の筒体によって形成されている。針キャップ３は針保持部材２から露出している針４の露出部分４ｃを覆うものである。針キャップ３はその後端部３ｂに針保持部材２の取付筒部５が挿入されることにより針保持部材２に着脱自在に取り付けられる。針キャップ３が針４を覆うことにより針４の保護及び作業者への針刺し事故を防止することができる。
【００１９】
この実施形態の針キャップ３は、当初は図１（Ａ）で示すように、針４を覆っているが、液体採取注入針１の使用時には同図（Ｂ）で示すように、針４の覆い状態から取り外され、図２に示すように、針保持部材２の後側部分に連結される。すなわち、針保持部材２の後側部分となっている接続筒部７が針キャップ３の前端部３ａに挿入されることにより針キャップ３が針保持部材２に直接に連結される。この針保持部材２との連結状態では、針キャップ３と針保持部材２とが連通した状態となる。
【００２０】
かかる針キャップ３と接続筒部７との連結において、これらが相互に係脱自在となる係合構造が設けられることが好ましい。この実施形態における係合構造は、図１（Ａ）に示すように、接続筒部７の外径をΦ２とした場合、針キャップ３の内径Φ１がΦ２と略同等となるように設定するものである。このような係合構造とすることにより、針キャップ３の前端部３ａと接続筒部７とを差し込みによって相互に嵌合してこれらが連結される。
これに加えて、針キャップ３の前端部３ａ内面又は接続筒部７の外面の少なくとも一方の表面を梨地面、ローレット面等の粗面に形成することも可能である。粗面とすることにより針キャップ３と接続筒部７との間に摩擦力が発生するため、これらを強固に確実に連結することができる。
【００２１】
針保持部材２との連結状態で針キャップ３は針保持部材２の後方に延びており、この延長部分に対し外部の医療器具としてのヘマトクリット管９が連結される（図２参照）。ヘマトクリット管９は針キャップ３の後端部３ｂに挿入されることによって連結され、この連結によってヘマトクリット管９を介して血液や体液の採取を行うことができる。この場合、針キャップ３が長いことから針キャップ３を曲げることも可能であり、針キャップ３とヘマトクリット管９との位置調整を簡単に行うことができる。
【００２２】
以上の液体採取注入針１では、針キャップ３によって針４を覆った図１（Ａ）の状態で包装袋（図示省略）内に封入して商品として供給される。液体採取注入針１の使用に際しては、包装袋から取り出した後、針キャプ３を針保持部材２から取り外してから針キャップ３を針保持部材２の接続筒部７に連結する。これにより針キャップ３をヘマトクリット管９との連結に使用することができる。
このような実施形態では、針キャップ３を血液の採取に有効に再使用することができるため、資源の無駄となることがない。又、針キャップ３をヘマトクリット管９等の外部の医療器具との連結に用いるため、連結のための接続管等の中間部品を液体採取注入針１に予めセットする必要がない。このため、部品点数を削減した簡単な構造の液体採取注入針とすることができ、取り扱いが簡単で、安価に提供することができる。
【００２３】
［第２実施形態］
図５及び図６は、本考案の第２実施形態の液体採取注入針１Ａを示す。
この形態では、針キャップ３の前端部３ａの径が小さくなることにより前端部３ａが細くなっているのに対し、針保持部材２の後側部分の接続筒部７は径が大きくなっており、これにより接続筒部７へ針キャップ３の前端部３ａの差し込みが可能な係合構造となっている。そして、針キャップ３の差し込みによって針キャップ３と接続筒部７とが嵌合し、針キャップ３が針保持部材２の後側部分に連結される。これにより、第１実施形態と同様に針キャップ３の有効利用ができると共に部品点数の少ない簡単な構造の液体採取注入針１Ａとすることができる。
なお、これとは逆の構造、すなわち針キャップ３の前端部３ａの径を大きく、接続筒部７の径を小さくしても同様とすることができる。
【００２４】
［第３実施形態］
図７は本考案の第３実施形態の液体採取注入針１Ｂを示す。
この形態では、図７（Ａ）及び（Ｂ）で示すように針キャップ３の前端部３ａの内面に凸部１２が形成されると共に針保持部材２の後側部分となっている接続筒部７の外面に凸部１１が形成されることにより接続筒部７と針キャップ３とが相互に係脱自在な係合構造が形成されている。針キャップ３を針保持部材２の取付筒部５から取り外し、その前端部３ａを接続筒部７に差し込むと、凸部１１、１２が相互に噛み合うため、針キャップ３が針保持部材２に強固に連結される。これにより針キャップ３を確実に連結することができる。
【００２５】
図７（Ｃ）は針保持部材２の接続筒部７の外面にねじ部（雄ねじ部）１３を形成したものであり、このねじ部１３が螺合するねじ部（雌ねじ部）を針キャップ３の前端部３ａに形成し、これにより係合構造とする。このようなねじ部の螺合によっても、接続筒部７（針保持部材２）と針キャップ３とを強固に連結することができる。
なお、これとは逆に、針キャップ３の前端部３ａに雄ねじ部を形成し、針保持部材２の接続筒部７に雌ねじ部を形成しても同様に強固に連結することができる。
【００２６】
［第４実施形態］
図８及び図９は本考案の第４実施形態の液体採取注入針１Ｃを示す。
これらに示す形態では、針保持部材２の接続筒部７にだけ凸部１４、１５を形成することにより係合構造としている。図８においては、接続筒部７の外面に凸部１４を形成するものであり、接続筒部７に連結される針キャップ３には凸部の形成加工が施されていない。針キャップ３の前端部３ａに接続筒部７を差し込むことにより凸部１４が針キャップ３に係合する。
図９においては、接続筒部７を大径の筒状に形成すると共に、その内面に凸部１５を形成しており、針キャップ３には、凸部の形成加工が施されていない。この構造では、針キャップ３の前端部３ａを接続筒部７に差し込むことにより凸部１５が針キャップ３に係合する。
図８及び図９に示すように凸部１４、１５を接続筒部７に形成することにより針キャップ３を接続筒部７（針保持部材２）に強固に連結することができる。又、針キャップ３には凸部１４、１５を形成することがないため、針キャップ３を容易に作成することができる。
【００２７】
［第５実施形態］
図１０は本考案の第５実施形態の液体採取注入針１Ｄを示す。
この液体採取注入針１Ｄでは、針保持部材２の後側部分の接続筒部７に接続管１７が連結されている。接続管１７は針キャップ３が差し込み可能な径の筒状となっており、接続筒部７が挿入されることにより針保持部材２と連通した状態となる。接続管１７は接続筒部７に接着剤によって固定される。接続管１７はヘマトクリット管を接続するために既存の液体採取注入針に旧来からセットされている部品である。この実施形態では、接続管１７がセットされ、さらに針キャップ３が針保持部材２の前側部分（取付筒部５）に取り付けられた構造となっており、この構造で包装袋内に封入することにより商品として供給される。
【００２８】
この実施形態においても、針キャップ３が針保持部材２の取付筒部５に取り付けられることにより針キャップ３が針４の露出部分４ｃを覆うものである（図１０（Ａ））。これに加えて、針保持部材２から針キャップ３を取り外して、その前端部３ａを接続管１７に差し込む（図１０（Ｂ））。このことにより針キャップ３を接続管１７に連結することができる（図１０（Ｃ））。すなわち、この形態では、針保持部材２の後側部分の接続筒部７に対し、針キャップ３が接続管１７を介して間接的に連結されるものである。そして、この針キャップ３にヘマトクリット管等の外部の医療器具を差し込むことによって連結して血液の採取等を行う。このような構造では旧来からの接続管１７がセットされた構造に対しても適用することができる
【００２９】
［第６実施形態］
図１１は本考案の第６実施形態の液体採取注入針１Ｅを示す。
液体採取注入針１Ｅにおいては、図１０と同様に、針保持部材２の後側部分の接続筒部７に接続管１７が連結されている。接続管１７は接続筒部７が差し込まれ接着剤によって接続筒部７に取り付けられる取付部１８と、取付部１８の後側に一体に形成された受管部１９とによって形成されている。受管部１９は針保持部材２内と連通した管状となっている。又、受管部１９は大径となっており、その内面に凸部２０が形成されている。
【００３０】
この形態では、針キャップ３を接続管１７の受管部１９に差し込むことにより針キャップ３が接続管１７を介して鉢保持部材２に間接的に連結される。接続管１７の受管部１９には、凸部２０が形成されているため、凸部２０が針キャップ３に係合して針キャップ３が針保持部材２の後側部分に強固に連結される。そして、針キャップ３に対し、ヘマトクリット管９等を差し込むことにより血液の採取を行うことができる。
【００３１】
［第７実施形態］
図１２〜図１４は、外部の医療器具としてのヘマトクリット管９を接続する針キャップ３の接続構造の態様をそれぞれ示す。なお、外部の医療器具としては、ヘマトクリット管９以外にも適用できるものであり、例えばシリンジであっても良い。
図１２の接続構造は、軸方向に沿って径が連続的に変化するテーパ面２１を針キャップ３の内面に形成するものである。ヘマトクリット管９はテーパ面２１の径大部分から径小部分に向かって軸方向に差し込まれることにより針キャップ３の内面径と径が一致した部分で針キャップ３に接続される。これにより外径が異なっているヘマトクリット管９であっても接続が可能となる。
図１３の接続構造は、軸方向に沿って径が段階的に変化する階段面２２を針キャップ３の内面に形成するものである。ヘマトクリット管９は階段面２２の低い部分から高い部分に向かって軸方向に差し込まれる。ヘマトクリット管９は外径が一致した階段面２２に達して接続される。このため、外径が異なっているヘマトクリット管９であっても接続を行うことができる。
図１４の接続構造は、針キャップ３が柔軟性樹脂によって形成されると共に、ジグザグ状の曲面２３が内面に形成されるものである。ヘマトクリット管９を針キャップ３に差し込むことにより、柔軟な針キャップ３がヘマトクリット管９の径に合わせて広がると共にジグザグ状の曲面２３がヘマトクリット管９と接触して摩擦力を発生する。これによりヘマトクリット管９は適宜な差し込み深さで停止して針キャップ３との接続が行われる。これにより外径が異なっているヘマトクリット管９であっても無理のない接続が可能となる。
【００３２】
［第８実施形態］
図１５は、本考案の第８実施形態の液体採取注入針１Ｆを示す。
この形態では、針キャップ３に径が大きな差し込み部２４を形成するものである。針キャップ３は図１５（Ａ）で示すように、後端部３ｂに針保持部材２の取付筒部５が挿入されることにより針保持部材２に着脱自在に連結される。径大の差し込み部２４はこの針４を覆って針４を保護する。なお、針保持部材２の後側部分の接続筒部７には、凸部２５が形成されている。
【００３３】
図１５（Ｂ）で示すように、針キャップ３を取付筒部５から外して前後逆にして接続筒部７に連結する。このとき、接続筒部７の凸部２５が針キャップ３の後端部３ｂに噛み込むため針キャップ３を強固に連結することができる。そして、径大の差し込み部２４に外部の医療器具としてのポンプ部材２６の先端部分の差し込み部２７を差し込むことによりポンプ部材２６が連結される。ポンプ部材２６の内部には、注射液等の薬液が充填されており、ポンプ部材２６を圧縮することにより薬液を患者や実験動物の患部に注入することができる。これにより血液の採取だけでなく，薬液の投与にも使用することができる。なお、ポンプ部材２６に代えてシリンジを接続することも可能である。
このような実施形態においても、針４を覆って保護する針キャップ３をポンプ部材２６との連結に用いるため、針キャップ３の再利用ができ、針キャップ３を無駄にすることがない。又、ポンプ部材２６の連結のための接続管等の中間部品を液体採取注入針１Ｆに予めセットする必要がない。このため、部品点数を削減した簡単な構造の液体採取注入針とすることができ、取り扱いが簡単で、安価に提供することができる。
この実施形態においては、凸部２５を形成しなくても接続が可能である。又、接続筒部７の径を大きくして針キャップ３の後端部３ｂを接続筒部７に差し込む連結構造としても良い。
【００３４】
［第９実施形態］
図１６は、本考案の第９実施形態の液体採取注入針１Ｇを示す。この実施形態の採取注入針１Ｇでは、針４と、針保持部材２とによって形成されている。針保持部材２及び針キャップ３はシリコン、塩化ビニル等の樹脂によって全体が形成される。これらの針４及び針保持部材２は上述した第１実施形態と同様な構造となっている。
【００３５】
針４は先鋭の金属製の中空管からなり、先鋭の針先４ａを通じて人や実験動物の血液、体液等の採取及び薬液の注入を行う。
【００３６】
針保持部材２は第１実施形態と同様に、取付筒部５が前側部分、保持筒部６が中間部分、接続筒部７が後側部分に位置しており、全体が軸方向に延びる筒状となっている。
保持筒部６には、軸方向と交差する方向に延びたフラップ部８が形成されている。フラップ部８は指で把持することにより針４を安定して操作するものであり、両翼となっているが、片翼であっても良い。
【００３７】
保持筒部６は針４の針元４ｂが挿入される。この挿入によって保持筒部６は針４を保持する。
取付筒部５は保持筒部６の前側から延びており、図示を省略した針キャップ３の後端部に差し込まれることにより針キャップ３が針保持部材２に取り付けられる。なお、この実施形態においては、針キャップ３は外部の医療器具との接続に使用しないため、適宜、針キャップ３を省略することができる。この場合には、前側部分の取付筒部５を削除した構造とすることができる。
【００３８】
この実施形態の液体採取注入針１Ｇでは、接続筒部７に対して外部の医療器具としてのヘマトクリット管９が直接に接続可能となっている。ヘマトクリット管９を接続筒部７に接続するため、ヘマトクリット管９は接続筒部７の内径に合わせた外径のものが選択される。なお、この接続を確実且つ強固にするため、接続筒部７の内面又はヘマトクリット管９の外面を梨地面やローレット面としても良い。
【００３９】
このような実施形態では、針４を保持する針保持部材２の接続筒部７に対して外部の医療器具であるヘマトクリット管９を直接に接続する構造であり、これによりヘマトクリット管９を介して血液や体液の採取を行なうことができる。従って、部品点数を削減した構造の液体採取注入針とすることができる。
【００４０】
［第１０実施形態］
図１７は、本考案の第１０実施形態の液体採取注入針１Ｈを示す。この実施形態においても、取付筒部５、保持筒部６及び接続筒部７を軸方向に沿って連通することにより針保持部材２が形成されており、接続筒部７には外部の医療器具が接続可能となっている。
外部の医療器具としては、ゴム風船からなる中空のポンプ部材３１が使用される。このポンプ部材３１の前端側の接続口３２に針保持部材２の接続筒部７を差し込んで嵌合させることによりポンプ部材３１と接続筒部７とが接続される。この接続状態でポンプ部材３１を膨縮させることにより、針４を通じて血液や体液の採取及び薬液の注入を行なうことができる。
なお、この実施形態においても、図示を省略した針キャップ３は外部の医療器具との接続に使用しないため、適宜、針キャップ３を省略することができ、この場合には、前側部分の取付筒部５を削除した構造とすることができる。
【００４１】
［第１１実施形態］
図１８は、本考案の第１１実施形態の液体採取注入針１Ｉを示す。
針４を保持する針保持部材２は、前側部分に取付筒部５、中間部分に保持筒部６、後側部分に接続筒部７が位置することにより全体が軸方向に延びる筒状となっており、接続筒部７には、外部の医療器具が接続可能となっている。
外部の医療器具としては、ホース等からなる可撓性の管体３３が選択されている。この管体３３の前端の差し込み口３４に接続筒部７に差し込むことにより管体３３と接続筒部７とが接続される。管体３３の後端には、シリンジやポンプ等の液管３５が連結されており、液管３５を作動させることにより針４を通じて血液や体液の採取及び薬液の注入を行なうことができる。
この実施形態においても、図示を省略した針キャップ３は外部の医療器具との接続に使用しないため、適宜、針キャップ３を省略することができ、この場合には、前側部分の取付筒部５を削除した構造とすることができる。
【００４２】
［第１２実施形態］
図１９は、本考案の第１２実施形態の液体採取注入針１Ｊを示す。
針４を保持する針保持部材２は、前側部分に取付筒部５、中間部分に保持筒部６、後側部分に接続筒部７が位置することにより全体が軸方向に延びる筒状となっている。接続筒部７には、外部の医療器具が接続可能となっている。
外部の医療器具としては、シリンジ３６が選択され、シリンジ３６の前端側のシリンジ口３６ａに接続筒部７を差し込んでシリンジ３６との接続が行われる。これにより、針４を通じて血液や体液の採取及び薬液の注入を行なうことができる。
この実施形態においても、図示を省略した針キャップ３は外部の医療器具との接続に使用しないため、適宜、針キャップ３を省略することができ、この場合には、前側部分の取付筒部５を削除した構造とすることができる。
【００４３】
［第１３実施形態］
図２０は、本考案の第１３実施形態の液体採取注入針１Ｋを示す。
この実施形態では、第８実施形態と同様に、針保持部材２の接続筒部７に外面に突出する凸部３７が形成されている。この接続筒部７に対し、外部の医療器具としてのヘマトクリット管９が接続される。ヘマトクリット管９は凸部３７を含む接続筒部７の外径よりも大きな径を有したものが選択される。この径大のヘマトクリット管９に接続筒部７を差し込むことによりヘマトクリット管９が接続筒部７に接続される。この構造では、凸部３７が形成されているため、接続筒部７とヘマトクリット管９とを強固に接続することができ、ヘマトクリット管９の不用意な抜け止めを行なうことができる。
この実施形態においても、図示を省略した針キャップ３は外部の医療器具との接続に使用しないため、適宜、針キャップ３を省略することができ、この場合には、前側部分の取付筒部５を削除した構造とすることができる。
【００４４】
図２１は、この実施形態の変形例を示す。図２１においては、接続筒部７の外面の凸部３７に加えて外部の医療器具としてのヘマトクリット管９の内面にも凸部３８が形成されている。凸部３８はヘマトクリット管９の前側部分に形成されており、接続筒部７側の凸部３７と相互に係合する。これにより接続筒部７とヘマトクリット管９とを強固に接続することができ、ヘマトクリット管９の不用意な抜け止めを行なうことができる。
この実施形態においても、針キャップ３は外部の医療器具との接続に使用しないため、適宜、針キャップ３を省略することができ、この場合には、前側部分の取付筒部５を削除した構造とすることができる。
【００４５】
［第１４実施形態］
図２２は、本考案の第１４実施形態の液体採取注入針１Ｌを示す。この液体採取注入針１Ｌでは、針保持部材２の接続筒部７に接続管１７が連結されている。接続管１７はゴム等の可撓性材料によって形成されるものであり、接続筒部７が差し込み可能な内径となっており、差し込まれた接続筒部７と接着剤を介して接続される。この接続管１７を介して外部の医療器具が接続筒部７と接続される。
外部の医療器具としては、ヘマトクリット管９が選択される。この場合のヘマトクリット管９は接続管１７に差し込み可能な外径に形成されており、接続管１７への差し込みによって接続管１７を介して接続筒部７との接続が行われる。これにより、針４を通じて血液や体液の採取及び薬液の注入を行なうことができる。このような実施形態では、接続筒部７とヘマトクリット管９とが接続管１７を介して間接的に接続される構造となっている。
この実施形態においても、図示を省略した針キャップ３は外部の医療器具との接続に使用しないため、適宜、針キャップ３を省略することができ、この場合には、前側部分の取付筒部５を削除した構造とすることができる。
【００４６】
［第１５実施形態］
図２３及び図２４は、本考案の第１５実施形態を示す。
この実施形態では、外部の医療器具として図２３に示す微量での分析を行う分析器４０を用いるものである。
分析器４０は透明材料によって形成された本体部４１にキャピラリーチューブ（毛細管）４２が設けられた構造となっている。キャピラリーチューブ４２は血液や体液を採取するものである。このキャピラリーチューブ４２は２本の分析チューブ４４と、２本の分析チューブ４４を連通するＵ字チューブ４５とによって形成されている。Ｕ字チューブ４５は本体部４１内に形成される一方、２本の分析チューブ４４は本体部４１の外方に位置している。一方の分析チューブ４４の端部は、液体採取注入針１Ｇの接続筒部７に接続される差し込み口４３となっている。
【００４７】
図示例では、液体採取注入針として図１６に示す液体採取注入針１Ｇを用いており、この注入針１Ｇの接続筒部７に差し込み口４３を差し込んで血液、体液をキャピラリーチューブ４２内に導入する。キャピラリーチューブ４２内が充満した時点で、分析器４を液体採取注入針１Ｇから外し、その後、図２４に示すように、本体部４１から２本の分析チューブ４４を分離し、分析チューブ４４をプラズマ分析に供する。
この実施形態では、分析器４０を接続することにより、分析器４０に対する血液、体液の採取にも使用することができる。
【００４８】
［第１６実施形態］
図２５〜図３０は本考案の第１６実施形態を示す。この実施形態の液体採取注入針１Ｎは、対象に穿刺する中空の針４と、針４の基端部外周を包囲するように筒状を有して固定された針保持部材２と、針保持部材２の反針側に取り付けられて針４と連通する接続管１７と、針保持部材２の外周面から離反する方向である外方へ突出したフラップ部８とを備えてなる。針保持部材２は全体が軸方向に延びる筒状に形成されており、前側部分の取付筒部５と、中間部分の保持筒部６と、後側部分の接続筒部７とが一体に形成されて構成される。これらの筒部５、６、７は軸方向に連通した状態となっている。
【００４９】
針保持部材２の取付筒部５は、針４の外径の２倍以上４倍以下程度の外径を有し、例えば外径０．６５ｍｍの針４に対し、１．３ｍｍ〜２．６ｍｍ程度の細径の外径を有する。取付筒部５は可撓性を備えている。例えば、軟質の合成樹脂等で取付筒部５を形成し、この取付筒部５の端部に薄肉にした接続筒部７を形成することにより、取付筒部５に可撓性を持たせることができる。
【００５０】
接続管１７は、図２５に示す如く、先端側の取付部１８と、取付部１８の基端側に取付部１８の外周を包囲するように筒状を有して固定された受管部１９を備えている。取付部１８は、図２５に示す如く先端側（針側）において接続筒部７と接続すると共に、基端側（反針側）においては、外部の医療器具としてのヘマトクリット管９の外径に合った内径Ｄ１を備えており、反針側からヘマトクリット管９を挿入して内側に着脱可能に嵌合できるようになっている。受管部１９は先端側において取付部１８と接続すると共に、基端側においては別の外部の医療器具としてのシリンジ３６の先端部３６ａの外径に合った内径Ｄ２を備えており、反針側からシリンジ３６の先端部３６ａを挿入して内側に着脱可能に嵌合できるようになっている。尚、接続筒部７９と取付部１８、取付部１８と受管部１９の間は、それぞれ接着剤等で固定されている。
【００５１】
こうして、この液体採取注入針１Ｎは、取付部１８と受管部１９を備えた接続管１７により、シリンジ３６の他にヘマトクリット管９も接続できるように構成してあり、液剤の投与のほか、後述するように採血にも使用することができる。
【００５２】
フラップ部８は、取付筒部５の軸線と直交する方向に突出した二枚のフラップ８ａ，８ｂを有している。フラップ８ａ，８ｂは、図２５、図２６に示す如く、針４を水平にし、且つ針４の先鋭部４ａを下にした状態において、取付筒部５から水平方向に張り出すような位置関係で取付部筒部５に備えられる。また、各フラップ８ａ，８ｂには、この状態において下側にあたる面に、滑り止め用の凹凸部８ｃが形成されている。
【００５３】
フラップ８ａ，８ｂは可撓性を有しており、図２６に仮想線で示す如く、取付筒部５を包むように上側に平行な状態に折り畳んで把持できるようになっている。すなわち、後述する穿刺時において、両フラップ８ａ，８ｂを凹凸部８ｃの施された面が外側に来るように持ち上げ、針４を水平に把持すると、針先４ａが必ず下側に位置するようになっている。
【００５４】
接続管１７の構成は、ここに示した例に限定されない。例えば、図２５に示す如く別々に形成した取付部１８と受管部１９を接合するのではなく、図２６に示す如く、取付部１８と受管部１９にあたる部品を一体成型した一個の接続管１７として構成することもできる。ここに示した接続管１７は、取付部１８（図２７参照）にあたる最も先端側の内径Ｄ３が接続筒部７の外径と合致し、受管部１８（図２７参照）にあたる基端側の内径Ｄ４がシリンジ３６の先端部３６ａ（図２５参照）の外径と合致し、中間部の内径Ｄ５がヘマトクリット管９（図２５参照）の外径と合致している。そして、先端部には接続筒部７を嵌合して接着剤等により固定している一方、反針側からシリンジ３６の先端部３６ａ（図２５参照）またはヘマトクリット管９（図２５参照）を着脱可能に嵌合できるようになっている。尚、ここでは内径Ｄ３が内径Ｄ５より大きい場合を例示しているが、ヘマトクリット管９の寸法やその他の条件に合わせ、内径Ｄ３を内径Ｄ５より小さくしても良いし、内径Ｄ３と内径Ｄ５が一致するよう構成することもできる。
【００５５】
また、液体採取注入針１Ｎの用途によっては、必ずしも接続管１７にヘマトクリット管９を嵌合できるように構成する必要はない。すなわち、液体採取注入針１Ｎを採血に用いない場合や、後述するようにシリンジ３６を用いて吸引により採血を行う場合には、液体採取注入針１Ｎにはヘマトクリット管９を接続せずとも良く、シリンジ３６のみ接続できるようになっていれば十分である。
【００５６】
さらに、図２８に示す如く、取付筒部５のフラップ部８に加え、接続管１０の外周面から外方へ突出した副フラップ５１を備えても良い。この副フラップ部５１は、接続管１７の軸に関して針４の針先４ａとは反対側に、軸から離反する方向へ張り出したフラップであり、接続管１７の本体より先端側へ迫り出している。そして、仮想線で示すようにフラップ部８を把持した際に、二枚のフラップ８ａ，８ｂに挟むようにして一緒に把持できるようになっている。
【００５７】
フラップ部８についても、図２５、図２６に示す構成に限定されない。例えば図２９に示す如く、取付筒部５の軸に関して針４の針先４ａとは反対側に、取付筒部５の軸線と直交する方向へ突出した一枚のフラップ８ｄとして構成することもできる。ここに示した例の場合、フラップ８ｄの両面に凹凸部８ｃが施されている。
【００５８】
次に、この実施形態の作動を説明する。
図３０は上述の液体採取注入針１Ｎを用いて小動物に対し液剤を投与する場合を例示している。ここに示した例では、マウスの尾部に静脈内投与を行うことを想定しているが、液体採取注入針１Ｎは、この他にも皮下投与、腹腔内投与、筋肉内投与といった各方法に用いることができる。また、マウスの他にラット、ウサギ、モルモット、マーモセット、その他各種の小動物に対しても適用し得ることは勿論である。
【００５９】
投与にあたっては、二枚のフラップ８ａ，８ｂによるフラップ部８が取付筒部５を包むように上方に折り曲げて手指でしっかりと把持し、針４を水平に保持する。この際、凹凸部８ｃが施された面が外側に来るように二枚のフラップ８ａ，８ｂを把持することで、凹凸部８ｃが手指に対する滑り止めとして機能する。
【００６０】
また、上述の如く、フラップ部８によって取付筒部５を把持する側と、針４の針先４ａとが取付筒部５の軸に関して互いに反対側になるように取付筒部５と針４とが固定されている。このため、二枚のフラップ８ａ，８ｂをこのように保持すれば針４の針先４ａが自動的に下を向くことになり、穿刺にあたって針先４ａの位置を確認する必要がなく、便利である。すなわち、凹凸部８ｃは穿刺に際し、滑り止めの他に目印及び位置決めの機能も果たすようになっている。
【００６１】
ここで、図２８に示す如く接続管１７に副フラップ部５１を備えた液体採取注入針１Ｎを用いる場合には、フラップ部８と共に副フラップ部５１を把持する。こうすることにより取付筒部５に加えて接続管１７をも同時に手指で固定することができ、穿刺に際して液体採取注入針１Ｎ全体を一層確実に保持することができる。
【００６２】
また、図２９に示す如き一枚のフラップ８ｄを備えた液体採取注入針１Ｎを用いる場合には、単にフラップ部８が針４に対し上側に位置するように把持すれば良く、こうすれば自動的に針先４ａが下向きの正しい向きに位置決めされることになる。
【００６３】
フラップ部８を把持した状態で、対象の適宜位置（この場合は、マウスの尾部）に針４を水平に穿刺し、接続管１７に接続したシリンジ３７６から薬液５を送り込む。このようにすれば、針１を含む液体採取注入針１Ｎ全体を確実に保持した状態で、針４を浅い穿刺角度により対象部位に穿刺できる。このため、例えば小動物に対する静脈内投与の場合にも、細い静脈に針１の先端を一致させる操作が容易になり、熟練を要することなく短時間で簡便に投与を実行することができる。
【００６４】
また、この際、可撓性を有する接続筒部７を屈曲させることにより、針４を水平に保ちつつ、液体採取注入針１Ｎに接続したシリンジ３６の反針側を対象に対し斜め上に持ち上げることができる。このようにシリンジ３６の位置を調整することにより、投与に際して穿刺角度をより浅くすることができ、対象に対し針４の先端を一致させる等の操作が一層容易になる。
【００６５】
さらに、本実施形態の液体採取注入針１Ｎの場合、接続管１７にシリンジ３６の他、ヘマトクリット管９（図２６参照）をも接続できるようになっている。このため、同一の液体採取注入針１Ｎにより、投与の他にヘマトクリット管９を用いた採血にも対応可能となっており、上述の手順と共通する操作で同様に効率的かつ簡便な採血を行うことができ、便利である。尚、この際、上述した投与の場合とは逆に、接続筒部７を屈曲させてヘマトクリット管９の反針側を下側に下げれば、毛細管現象による吸引作用が重力によって高められるので、採血にかかる時間を短縮することが可能である。
【００６６】
また、液体採取注入針１Ｎがヘマトクリット管９を接続可能に構成されていない場合であっても、接続管１７に接続したシリンジ３６を用いて血液を吸引することにより、好適に採血を行うことができる。
【００６７】
以上のように、この実施形態では、中空の針４と、針４の基端部外周に固定した取付筒部５を有する針保持部材２と、取付筒部５の反針側に突出した針保持部材２の接続筒部７に取り付けられ、針４と連通し且つ内側にシリンジ３６の先端部３６ａを反針側から嵌合可能に構成された接続管１７と、取付筒部５の外周面から外方へ突出したフラップ部８とを備えているので、フラップ部８を把持して針４を対象部位に穿刺し、シリンジ３６から薬液５２を送り込むことで、小動物に対し簡便に薬剤を投与することができる。
また、接続管１７は、内側にヘマトクリット管９を反針側から嵌合可能に構成されているので、同じ液体採取注入針１Ｎによりヘマトクリット管９を用いた採血にも対応し得る。
【００６８】
また、上記実施形態において、接続筒部７は可撓性を有するので、接続筒部７を屈曲させることにより液体採取注入針１Ｎに接続したシリンジ３６やヘマトクリット管９等の外部の医療器具の位置を調整し、投与や採血の操作をより容易にすることができる。
【００６９】
また、フラップ部８を取付筒部５の軸線と直交する方向に突出し且つ平行な状態に折り畳みが可能な二枚のフラップ８ａ，８ｂとすることができ、このようにすれば、液体採取注入針１Ｎの保持を確実なものとすることができる。
【００７０】
また、フラップ部８を取付筒部５の軸線と直交する方向に突出した一枚のフラップ８ｄとすることもでき、このようにしても、液体採取注入針１Ｎの保持を確実なものとすることができる。
また、フラップ部８によって取付筒部５を把持する側と針４の針先４ａとが取付筒部５の軸に関して互いに反対側になるように取付筒部５と針４とが固定されているので、フラップ部８を把持すれば針４の針先４ａが自動的に下向きとなり、穿刺に際して針４の位置決めを容易にすることができる。
また、接続管１７の外周面から外方へ突出し、フラップ部８と一緒に把持可能に構成された副フラップ部５１を備えることができ、このようにすれば、穿刺に際して液体採取注入針１Ｎを一層確実に保持することができる。
以上により、この実施形態によれば、小動物に対し短時間で効率良く液剤の投与を実施し得る。
【００７１】
以上の本発明においては、接続管１７の内径をシリンジ３６の先端部３６ａの内径と一致させてシリンジ３６との接続を可能とすると共に、この接続管１７の内部に弾性変形可能な弁部を突出させる構造としても良い。この接続管１７では、ヘマトクリット管９を差し込むことにより弁部が弾性変形するため、ヘマトクリット管９を接続することができる。このためシリンジ及びヘマトクリット管の双方に対応した接続が可能となる。
【符号の説明】
【００７２】
１、１Ａ、１Ｂ、１Ｃ、１Ｄ、１Ｅ、１Ｆ、１Ｇ、１Ｈ、１Ｉ、１Ｊ、１Ｋ、１Ｌ、１Ｎ  液体採取注入針
２  針保持部材
３  針キャップ
４  針
５  取付筒部
６  保持筒部
７  接続筒部
８  フラップ部
９  ヘマトクリット管
１１、１２，１４、１５、２０、２５  凸部
１３  ねじ部
１７  接続管
２１  テーパ面
２２  階段面
２３  曲面
２６  ポンプ部材
【図１】
0003226487.tif 000003
【図２】
0003226487.tif 000004
【図３】
0003226487.tif 000005
【図４】
0003226487.tif 000006
【図５】
0003226487.tif 000007
【図６】
0003226487.tif 000008
【図７】
0003226487.tif 000009
【図８】
0003226487.tif 000010
【図９】
0003226487.tif 000011
【図１０】
0003226487.tif 000012
【図１１】
0003226487.tif 000013
【図１２】
0003226487.tif 000014
【図１３】
0003226487.tif 000015
【図１４】
0003226487.tif 000016
【図１５】
0003226487.tif 000017
【図１６】
0003226487.tif 000018
【図１７】
0003226487.tif 000019
【図１８】
0003226487.tif 000020
【図１９】
0003226487.tif 000021
【図２０】
0003226487.tif 000022
【図２１】
0003226487.tif 000023
【図２２】
0003226487.tif 000024
【図２３】
0003226487.tif 000025
【図２４】
0003226487.tif 000026
【図２５】
0003226487.tif 000027
【図２６】
0003226487.tif 000028
【図２７】
0003226487.tif 000029
【図２８】
0003226487.tif 000030
【図２９】
0003226487.tif 000031
【図３０】
0003226487.tif 000032
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
針と、針を保持する針保持部材と、前記針保持部材から露出している針の露出部分を覆う針キャップとを備え、
前記針キャップは前記針保持部材における前記針との反対側に連結可能であって、前記針との反対側に連結した状態で外部の医療器具との接続が可能となっていることを特徴とする液体採取注入針。
【請求項２】
前記針保持部材は、前記針の針元が挿入されることにより針を保持する保持筒部と、前記保持筒部と連通するように形成された接続筒部とを備え、
前記針キャップは前記接続筒部に直接又は間接的に連結可能となっていることを特徴とする請求項１記載の液体採取注入針。
【請求項３】
前記針保持部材は前記針との反対側が外部の医療器具と直接又は間接的に接続可能となっていることを特徴とする請求項１記載の液体採取注入針。
【請求項４】
前記針保持部材における前記針との反対側に連結される接続管を備え、前記接続管は異なった外部の医療器具との接続が可能となっていることを特徴とする請求項１記載の液体採取注入針。